(57)【特許請求の範囲】
【請求項１】
無線端末が存在するセルを管理する無線制御局と、前記無線制御局に対して前記無線端末へのサービスの変更手順を提供するコアノードとからなる無線通信システムであって、
前記無線制御局は、前記無線端末に関連する情報に基づいて前記サービスの変更要求を前記コアノードに送信するよう制御する制御手段を有することを特徴とする無線通信システム。
【請求項２】
前記制御手段は、前記無線端末が存在するセルの負荷状況を監視し、その監視結果に応じて前記サービスの変更要求を前記コアノードに送信するよう制御することを特徴とする請求項１記載の無線通信システム。
【請求項３】
前記無線端末に関連する情報は、少なくとも当該無線端末における無線品質測定結果と、共通セル品質測定結果と、個別端末品質測定結果と、位置情報報告とのいずれかであることを特徴とする請求項１記載の無線通信システム。
【請求項４】
前記制御手段は、前記無線端末が存在するセルの負荷が高くなった場合に前記コアノードに対してあまりリソースを必要としないサービスへの変更要求を送信し、前記無線端末が存在するセルの負荷が低くなった場合に前記コアノードに対して多くのリソースを必要とするサービスへの変更要求を送信するよう制御することを特徴とする請求項１から請求項３のいずれか記載の無線通信システム。
【請求項５】
前記無線制御局は、前記サービスの変更手順を行った後にハンドオーバを実施することを特徴とする請求項１から請求項４のいずれか記載の無線通信システム。
【請求項６】
前記制御手段は、前記セル内の前記無線端末の位置情報に依存したサービスへの変更要求を前記コアノードに送信するよう制御することを特徴とする請求項１記載の無線通信システム。
【請求項７】
前記制御手段は、前記無線基地局から近い場所の場合に多くの電力が必要なサービスへの変更要求を前記コアノードに送信し、前記無線基地局から遠いセル境界の場所の場合に割り当てる電力消費が少ないサービスへの変更要求を前記コアノードに送信するよう制御することを特徴とする請求項６記載の無線通信システム。
【請求項８】
無線端末が存在するセルを管理し、前記無線端末へのサービスの変更手順がコアノードから提供される無線制御局であって、
前記無線端末に関連する情報に基づいて前記サービスの変更要求を前記コアノードに送信するよう制御する制御手段を有することを特徴とする無線制御局。
【請求項９】
前記制御手段は、前記無線端末が存在するセルの負荷状況を監視し、その監視結果に応じて前記サービスの変更要求を前記コアノードに送信するよう制御することを特徴とする請求項８記載の無線制御局。
【請求項１０】
前記無線端末に関連する情報は、少なくとも当該無線端末における無線品質測定結果と、共通セル品質測定結果と、個別端末品質測定結果と、位置情報報告とのいずれかであることを特徴とする請求項８記載の無線制御局。
【請求項１１】
前記制御手段は、前記無線端末が存在するセルの負荷が高くなった場合に前記コアノードに対してあまりリソースを必要としないサービスへの変更要求を送信し、前記無線端末が存在するセルの負荷が低くなった場合に前記コアノードに対して多くのリソースを必要とするサービスへの変更要求を送信するよう制御することを特徴とする請求項８から請求項１０のいずれか記載の無線制御局。
【請求項１２】
前記サービスの変更手順を行った後にハンドオーバを実施することを特徴とする請求項８から請求項１１のいずれか記載の無線制御局。
【請求項１３】
前記制御手段は、前記セル内の前記無線端末の位置情報に依存したサービスへの変更要求を前記コアノードに送信するよう制御することを特徴とする請求項８記載の無線制御局。
【請求項１４】
前記制御手段は、前記無線基地局から近い場所の場合に多くの電力が必要なサービスへの変更要求を前記コアノードに送信し、前記無線基地局から遠いセル境界の場所の場合に割り当てる電力消費が少ないサービスへの変更要求を前記コアノードに送信するよう制御することを特徴とする請求項１３記載の無線制御局。
【請求項１５】
無線端末が存在するセルを管理する無線制御局と、前記無線制御局に対して前記無線端末へのサービスの変更手順を提供するコアノードとからなる無線通信システムに用いるサービス変更方法であって、
前記無線制御局が、前記無線端末に関連する情報に基づいて前記サービスの変更要求を前記コアノードに送信するよう制御する制御処理を実行することを特徴とするサービス変更方法。
【請求項１６】
前記制御処理は、前記無線端末が存在するセルの負荷状況を監視し、その監視結果に応じて前記サービスの変更要求を前記コアノードに送信するよう制御することを特徴とする請求項１５記載のサービス変更方法。
【請求項１７】
前記無線端末に関連する情報は、少なくとも当該無線端末における無線品質測定結果と、共通セル品質測定結果と、個別端末品質測定結果と、位置情報報告とのいずれかであることを特徴とする請求項１５記載のサービス変更方法。
【請求項１８】
前記制御処理は、前記無線端末が存在するセルの負荷が高くなった場合に前記コアノードに対してあまりリソースを必要としないサービスへの変更要求を送信し、前記無線端末が存在するセルの負荷が低くなった場合に前記コアノードに対して多くのリソースを必要とするサービスへの変更要求を送信するよう制御することを特徴とする請求項１５から請求項１７のいずれか記載のサービス変更方法。
【請求項１９】
前記無線制御局が、前記サービスの変更手順を行った後にハンドオーバを実施することを特徴とする請求項１５から請求項１８のいずれか記載のサービス変更方法。
【請求項２０】
前記制御処理は、前記セル内の前記無線端末の位置情報に依存したサービスへの変更要求を前記コアノードに送信するよう制御することを特徴とする請求項１５記載のサービス変更方法。
【請求項２１】
前記制御処理は、前記無線基地局から近い場所の場合に多くの電力が必要なサービスへの変更要求を前記コアノードに送信し、前記無線基地局から遠いセル境界の場所の場合に割り当てる電力消費が少ないサービスへの変更要求を前記コアノードに送信するよう制御することを特徴とする請求項２０記載のサービス変更方法。
【発明の詳細な説明】
【技術分野】
【０００１】
本発明は無線通信システム、無線制御局及びそれらに用いるサービス変更方法に関し、特に無線通信システムにおいて無線制御局が開始する通信中のサービス変更方法に関する。
【背景技術】
【０００２】
従来、携帯電話に代表されるユーザ端末の無線を利用したサービスでは、あるセルに存在するユーザが利用可能なサービスが、主に、ユーザが存在するセルを制御しているネットワークの能力や、そのセルの無線容量に依存している。したがって、新たにサービスを追加する時、または既存のサービスの特性を変更する時には、ネットワークの能力や、セルの無線容量を考慮する必要がある。
【０００３】
現状の３ＧＰＰ（３ｒｄ  Ｇｅｎｅｒａｔｉｏｎ  Ｐａｒｔｎｅｒｓｈｉｐ  Ｐｒｏｊｅｃｔ）で規定されている手順を用いてサービスを追加、または変更を実行する時には、要求されたサービスに必要なリソースを完全に確保できなければサービスの追加、または変更の要求は失敗となってしまい、そのサービスは実行されない。
【０００４】
従来、上記のようなサービスの変更時には、無線制御局からサービス変更手順要求メッセージを送信することができず、無線制御局を介さず、コアノード（交換局）−ユーザ間の上位層の通信において、ユーザがサービスを変更したい時のみ、コアノードから送信されるサービス変更要求開始メッセージに無線制御局がしたがうようになっている。
【０００５】
このサービス変更の契機はセル負荷状況や無線端末位置に無関係であるため、例えば、セル負荷が高い状態においては、ＴＶ（テレビ）電話といった多くのリソースを求めるサービス変更要求があっても、サービス設定の成功確率が低いという結果となっている。また、例えば、無線端末が基地局から遠いセル境界に位置する場合に、ＴＶ電話といった多くの電力を必要とするサービス変更要求があっても、上記と同様に、サービス設定の成功確率が低いという結果となっている。
【０００６】
上述したようなサービス変更の手順としては、無線基地局制御局と基地局とに設けた再構築制御部によって、ユーザがサービスの追加あるいはサービスの質の変更を行う時に、交換局から要求されたサービスの質を満足できない場合、確保できるリソースでユーザが要求したサービスを実施する方法がある（例えば、特許文献１参照）。
【０００７】
また、この手順では、ユーザがサービスの追加あるいはサービスの質の変更を行う前に、基地局と無線基地局制御局との間で、基地局がサポートできる伝送速度と基地局が確保できるリソースの情報とが基地局から無線基地局制御局に通知される。これによって、上記の手順では、無線基地局制御局内と無線のリンクの特性を変更する手順において、要求されたリソースを完全に確保できない場合でも、最低限のサービスの質を保証することができる範囲で再構築手順を実行することができる。
【０００８】
【特許文献１】特開２００３−１９９１５３号公報
【発明の開示】
【発明が解決しようとする課題】
【０００９】
上述した従来の無線制御局を介さないサービス変更では、セル負荷状況を把握していないため、低いサービス設定成功確率という結果になるという問題がある。また、従来の無線制御局を介さないサービス変更では、端末位置を把握していないため、低いサービス設定成功確率という結果になるという問題がある。
【００１０】
上記の特許文献１に記載の技術では、交換局から要求されたサービスの質を満足できない場合、確保できるリソースでユーザが要求したサービスを実施しているだけなので、言い換えれば、コアノードから送信されるサービス変更要求開始メッセージに無線制御局がしたがっているだけなので、コアノードに要求を出してサービス変更を行うことができず、上記の問題を解決することはできない。
【００１１】
そこで、本発明の目的は上記の問題点を解消し、高い成功率のサービス変更手順を実現することができる無線通信システム、無線制御局及びそれらに用いるサービス変更方法を提供することにある。
【課題を解決するための手段】
【００１２】
本発明による無線通信システムは、無線端末が存在するセルを管理する無線制御局と、前記無線制御局に対して前記無線端末へのサービスの変更手順を提供するコアノードとからなる無線通信システムであって、
前記無線制御局は、前記無線端末に関連する情報に基づいて前記サービスの変更要求を前記コアノードに送信するよう制御する制御手段を備えている。
【００１３】
本発明による無線制御局は、無線端末が存在するセルを管理し、前記無線端末へのサービスの変更手順がコアノードから提供される無線制御局であって、
前記無線端末に関連する情報に基づいて前記サービスの変更要求を前記コアノードに送信するよう制御する制御手段を備えている。
【００１４】
本発明によるサービス変更方法は、無線端末が存在するセルを管理する無線制御局と、前記無線制御局に対して前記無線端末へのサービスの変更手順を提供するコアノードとからなる無線通信システムに用いるサービス変更方法であって、
前記無線制御局が、前記無線端末に関連する情報に基づいて前記サービスの変更要求を前記コアノードに送信するよう制御する制御処理を実行している。
【００１５】
すなわち、本発明の無線通信システムは、複数のサービスを提供する無線通信システムにおいて、無線制御局が通信中のサービス変更を開始することを可能とすることを特徴とする。
【００１６】
より具体的に説明すると、本発明の無線通信システムでは、無線制御局が無線端末が存在するセルのセル負荷を無線制御局内のセル負荷制御部にて把握している。無線端末が存在するセルの負荷が高くなった場合、無線制御局はコアノードに対してあまりリソースを必要としないサービスに変更するサービス変更要求メッセージを送信する。
【００１７】
また、無線端末が存在するセルの負荷が低くなった場合、無線制御局はコアノードに対して多くのリソースを必要とするサービスを許容するサービス変更要求メッセージを送信する。無線制御局からサービス変更要求メッセージを受信したコアノードは、既存のサービス変更手順によって無線端末のサービスの変更を実施する。
【００１８】
上記のように、本発明の無線通信システムでは、無線制御局がセル負荷状況を把握しているため、セル負荷が高く、通信品質を保障することができない場合でも、音声通話といった信頼性の高いサービスを、通信が一度も切断されることなく、低信頼度のサービスから動的にサービス変更して、多くのユーザに高信頼度サービスを提供することが可能となる。
【００１９】
一方、本発明の無線通信システムでは、セル負荷が低く、高い通信品質を確保することができる場合、ＴＶ（テレビ）電話といった高度なサービスを、通信が一度も切断されることなく、低度なサービスから動的にサービス変更して、高度なサービスを必要とするユーザに提供することが可能となる。
【００２０】
既存のシステムにおいて、無線制御局は様々な用途で無線端末が存在するセル負荷状況を把握しており、一方、コアノードは無線制御局に対してサービス変更手順を提供している。このシステムにおいて、無線制御局が無線端末のセル負荷情報を基にサービス変更要求メッセージをコアノードに送信することによって、無線制御局主導のサービス変更が可能となり、ユーザは動的に通信中のサービス変更が可能となる。
【００２１】
本発明の無線通信システムでは、無線制御局が主導でサービス変更要求を送信してサービス変更手順を実施しているため、コアノード主導でサービス変更手順を実施した時に比べて、サービス変更を高確率で成功させることが可能となる。
【発明の効果】
【００２２】
本発明は、以下に述べるような構成及び動作とすることで、高い成功率のサービス変更手順を実現することができるという効果が得られる。
【発明を実施するための最良の形態】
【００２３】
次に、本発明の実施の形態について図面を参照して説明する。図１は本発明の実施の形態による無線通信システムの構成を示すブロック図である。図１において、本発明の実施の形態による無線通信システムは、無線制御局１と、コアノード（交換局）２と、無線基地局３−１〜３−３と、無線基地局３−１〜３−３が管理するセルＡ〜Ｃ内の無線端末４−１〜４−７とから構成されている。
【００２４】
無線制御局１は無線端末４−１〜４−７が存在するセルＡ〜Ｃのセル負荷を無線制御局１内のセル負荷制御部１１にて把握している。無線制御局１は無線端末４−１〜４−７が存在するセルＡ〜Ｃの負荷が高くなった場合、コアノード２に対してあまりリソースを必要としないサービスへの変更を要求するためのサービス変更要求メッセージを送信する。また、無線制御局１は無線端末４−１〜４−７が存在するセルＡ〜Ｃの負荷が低くなった場合、コアノード２に対して多くのリソースを必要とするサービスを許容するためのサービス変更要求メッセージを送信する。
【００２５】
コアノード２は無線制御局１からサービス変更要求メッセージを受信すると、既存のサービス変更手順によって無線端末４−１〜４−７のサービスの変更を実施する。
【００２６】
このように、本実施の形態では、無線制御局１がセル負荷状況を把握しているため、セル負荷が高く、通信品質に保障することができない場合、音声通話といった信頼性の高いサービスを、通信が一度も切断されることなく、低信頼度のサービスから動的にサービス変更して、多くのユーザに高信頼度サービスを提供することができる。
【００２７】
一方、セル負荷が低く、高い通信品質を確保することができる場合には、ＴＶ（テレビ）電話といった高度なサービスを、通信が一度も切断されることなく、低度なサービスから動的にサービス変更して、高度なサービスを必要とするユーザに提供することができる。
【実施例１】
【００２８】
図２は本発明の一実施例による無線通信システムの構成を示すブロック図である。図２において、本発明の一実施例による無線通信システムは無線制御局１と、コアノード（交換局）２と、無線基地局３−１〜３−３と、無線基地局３−１〜３−３が管理するセルＡ〜Ｃ内の無線端末４−１〜４−７とから構成されている。
【００２９】
図３は図２の無線制御局１の構成を示すブロック図である。図３において、無線制御局１は各セルＡ〜Ｃのセル負荷を監視するセル負荷制御部１１と、コアノード２との間を接続するためのコアノード接続部１２と、無線基地局３−１〜３−３との間を接続するための基地局接続部１３とを備えている。
【００３０】
図４は本発明の一実施例によるサービス変更手順を示すシーケンスチャートであり、図５は本発明の一実施例による無線品質測定結果の授受を示すシーケンスチャートであり、図６は本発明の一実施例による共通セル品質測定結果の授受を示すシーケンスチャートであり、図７は本発明の一実施例による個別端末品質測定結果の授受を示すシーケンスチャートであり、図８は本発明の一実施例によるＧＰＳ（Ｇｌｏｂａｌ  Ｐｏｓｉｔｉｏｎｉｎｇ  Ｓｙｓｔｅｍ）システムから受信する無線端末位置情報報告の授受を示すシーケンスチャートであり、図９は本発明の一実施例によるサービス設定要求の授受を示すシーケンスチャートである。
【００３１】
図１０は本発明の一実施例によるサービス変更要求メッセージ送信契機の一例を示す図であり、図１１は本発明の一実施例によるサービス変更要求メッセージ送信契機の他の例を示す図である。これら図２〜図１１を参照して本発明の一実施例による無線通信システムにおけるサービス設定の変更について説明する。
【００３２】
無線制御局１は無線端末４−１〜４−７に対する無線リソース割当制御を実施するために使用する各セルＡ〜Ｃのセル負荷を無線制御局１内のセル負荷制御部１１にて把握している。また、コアノード２は、図４に示すように、無線制御局１に対してサービス変更を実施するサービス変更手順を開始することができる。この場合、無線制御局１がセル負荷制御部１１で把握しているセル負荷情報を基にコアノード２に対してサービス変更要求を行うと、図４に示すサービス変更手順が開始される。
【００３３】
つまり、無線制御局１がセル負荷制御部１１で把握しているセル負荷情報を基にコアノード２に対してサービス変更要求を行うと、コアノード２は無線制御局１にサービス変更手順開始メッセージを送信する（図４のａ１参照）。無線制御局１はサービス変更手順開始メッセージを受信すると、無線端末４−１〜４−７との間でサービス変更手順を実施し（図４のａ２参照）、その手順が完了すると、コアノード２にサービス変更手順完了メッセージを送信する（図４のａ３参照）。
【００３４】
本実施例では、無線制御局１内のセル負荷制御部１１で把握しているセル負荷情報を基にサービス変更要求を行っているが、上記のセル負荷情報の代わりとして、図５に示す無線端末４−１〜４−７から送信される無線品質測定結果や、図６に示す無線基地局３−１〜３−３から送信される共通セル品質測定結果、図７に示す個別端末品質測定結果、図８に示すＧＰＳシステム等から受信する無線端末４−１〜４−７の位置情報報告等を利用してもよい。
【００３５】
無線品質測定結果の場合、無線制御局１は無線端末４−１〜４−７に無線品質測定要求メッセージを送信し（図５のｂ１参照）、無線端末４−１〜４−７から無線品質測定応答メッセージが送られてくると（図５のｂ２参照）、その無線品質測定応答メッセージから無線品質測定結果を取得する。
【００３６】
また、共通セル品質測定結果の場合も、上記と同様に、無線制御局１は無線端末４−１〜４−７に共通セル品質測定要求メッセージを送信し（図６のｃ１参照）、無線端末４−１〜４−７から共通セル品質測定応答メッセージが送られてくると（図６のｃ２参照）、その共通セル品質測定応答メッセージから共通セル品質測定結果を取得する。
【００３７】
さらに、個別端末品質測定結果の場合も、上記と同様に、無線制御局１は無線端末４−１〜４−７に個別端末品質測定要求メッセージを送信し（図７のｄ１参照）、無線端末４−１〜４−７から個別端末品質測定応答メッセージが送られてくると（図７のｄ２参照）、その個別端末品質測定応答メッセージから個別端末品質測定結果を取得する。
【００３８】
一方、ＧＰＳシステム等から受信する無線端末４−１〜４−７の位置情報報告の場合、無線端末４−１〜４−７はＧＰＳシステムから無線端末位置情報を取得すると（図８のｅ１参照）、無線制御局１に対して無線端末位置情報報告メッセージが送信するので（図７のｄ２参照）、無線制御局１はその無線端末位置情報報告メッセージから無線端末位置情報報告を取得する。
【００３９】
上記の４つのケースの場合、無線制御局１はそれぞれ取得した無線品質測定結果、共通セル品質測定結果、個別端末品質測定結果、無線端末４−１〜４−７の位置情報報告等を利用して、コアノード２に対してサービス変更要求を行う。
【００４０】
尚、上述した無線制御局１におけるセル負荷制御部１１によるセル負荷制御、図４に示すコアノード２が開始する通信中のサービス変更手順、図５に示す無線端末４−１〜４−７の無線品質測定、図６に示す無線基地局１の共通セル品質測定、図７に示す個別端末品質測定、図８に示す無線端末４−１〜４−７の位置情報の取得方法については、当業者にとってよく知られており、また本発明とは直接関係しないので、その詳細な説明については省略する。
【００４１】
図９において、コアノード１は無線端末４−１〜４−７との通信開始時に予め通信を要求する複数のサービスをサービス設定要求メッセージにて通知する（図９のｆ１参照）。無線制御局１はサービス設定手順実施時にリソース割当て制御を実施し（図９のｆ２参照）、セル負荷状況の計算（図９のｆ３参照）からそれら複数のサービスから一つのサービスを選択してサービス設定手順を実施し（図９のｆ４参照）、コアノード２にサービス設定手順完了メッセージを開始する（図９のｆ５参照）。
【００４２】
最初にセルＡの負荷が高く、音声通信といった低度なサービスをユーザに提供しているものと仮定する。その後、図１０に示すように、該当する無線端末４−１〜４−４が存在するセルＡのセル負荷が一定時間（Ｔｉ１）、ある閾値（Ｔｈ１）を下回る場合、無線制御局１はユーザにＴＶ電話といった高度なサービスを提供可能とみなし、予めコアノード２から通知された複数のサービス種類と比較し、コアノード２に対して高度なサービスに切替えるためのサービス変更要求メッセージを送信する。
【００４３】
コアノード２は無線制御局１からのサービス変更要求メッセージにしたがって、図４に示すように、サービス要求手順を開始し、ユーザにＴＶ電話といった高度なサービスを提供する。
【００４４】
一方、最初にセル負荷が低く、ＴＶ電話といった高度だが低信頼度のサービス（セルの負荷が高くなると、通品品質の劣化が大きいため、低信頼度サービスと想定する）をユーザに提供しているものと仮定する。その後、図１１に示すように、該当する無線端末４−１〜４−４が存在するセルＡのセル負荷が一定時間（Ｔｉ２）、ある閾値（Ｔｈ２）を上回る場合、無線制御局１は予めコアノード２から通知された複数のサービス種類と比較し、ユーザに音声通信といった高信頼度のサービスを提供するために、コアノード２に対して高信頼度のサービスに切替えるためのサービス変更要求メッセージを送信する。
【００４５】
コアノード２は無線制御局１からのサービス変更要求メッセージにしたがって、図４に示すように、サービス要求手順を開始し、ユーザに高信頼度のサービスを提供する。尚、この手順は結果としてセルＡ全体の負荷を下げて、セルＡ内の全ての無線端末４−１〜４−４の通信品質を向上させることができる。
【００４６】
このように、本実施例では、無線制御局１が主導でサービス変更手順を開始しているので、高い成功率のサービス変更手順を実現することができる。また、本実施例では、セルＡ〜Ｃの負荷に応じて無線端末４−１〜４−７へのサービスを提供しているので、高度なサービスを可能な時だけ使用することが許容されるため、各無線端末４−１〜４−７にかかるコストの削減となり、システムに対する負荷も低減させることができる。
【実施例２】
【００４７】
図１２は本発明の他の実施例によるシステム間ハンドオーバに続くサービス変更手順を示すシーケンスチャートである。本発明の他の実施例による無線通信システムの構成及び無線制御局の構成は、上述した図２に示す本発明の一実施例による無線通信システムの構成及び図３に示す無線制御局１の構成と同様となっているので、その説明については省略する。また、本発明の他の実施例による無線通信システムにおいては、サービス変更要求送信契機について、上述した本発明の一実施例の動作をさらに工夫している。
【００４８】
図１２において、本発明の他の実施例による無線制御局１でセル負荷制御部１１によるセル負荷制御の代わりに、無線端末４−１〜４−７からの無線端末品質報告（図５参照）を利用している。
【００４９】
利用する無線端末品質としては、音声サービスのみを提供するネットワークの近隣セルの無線品質［Ｅｃ／Ｎｏ、ＲＳＣＰ（Ｒｅｃｅｉｖｅｄ  Ｓｉｇｎａｌ  Ｃｏｄｅ  Ｐｏｗｅｒ）等］の向上を一例としている。
【００５０】
本来、音声サービスのみを提供するネットワークの近隣セルの無線品質の向上は、そのネットワークへのシステム間ハンドオーバを提供するものであるが、ハンドオーバ先のネットワークではＴＶ電話等の高度サービスを提供していない。そのため、本実施例では、図１２に示すように、サービス変更手順と共にシステム間ハンドオーバも提供する。
【００５１】
つまり、無線制御局１は無線端末４−１〜４−７から無線端末品質測定結果報告メッセージを受信すると（図１２のｇ１参照）、無線端末品質測定結果報告メッセージから無線端末品質測定結果報告を取得し、その取得した無線端末品質測定結果報告を基にコアノード２に対してサービス変更要求メッセージを送信する（図１２のｇ２参照）。
【００５２】
コアノード２は無線制御局１からサービス変更要求を受けると、無線制御局１にサービス変更手順開始メッセージを送信する（図１２のｇ３参照）。無線制御局１はサービス変更手順開始メッセージを受信すると、無線端末４−１〜４−７との間でサービス変更手順を実施し（図１２のｇ４参照）、その手順が完了すると、コアノード２にサービス変更手順完了メッセージを送信する（図１２のｇ５参照）。この後に、無線制御局１とコアノード２と無線端末４−１〜４−７との間でシステム間ハンドオーバが実施される（図１２のｇ６参照）。
【００５３】
このように、本実施例では、システム間ハンドオーバも併せて実施可能としているので、ＴＶ電話等をサポートしていないネットワークへのシステム間ハンドオーバも一度の手順で実施することができる。
【実施例３】
【００５４】
図１３は本発明の別の実施例による無線端末位置に依存するサービス提供を示す図である。本発明の別の実施例による無線通信システムの構成及び無線制御局の構成は、上述した図２に示す本発明の一実施例による無線通信システムの構成及び図３に示す無線制御局１の構成と同様となっているのので、その説明については省略する。また、本発明の別の実施例による無線通信システムにおいては、サービス変更要求送信契機について、上述した本発明の一実施例の動作をさらに工夫している。
【００５５】
図１３において、本実施例では、ＧＰＳシステム等から受信する無線端末位置情報報告（図８参照）を利用している。無線端末４の位置が無線基地局３−１から近い場所と無線基地局３−１から遠いセル境界の場所とでは、無線端末４に割り当てる電力という点で大きな差がある。
【００５６】
そのため、無線基地局３−１から近い場所（ＴＶ電話ゾーン）では非常に多くの電力が必要なＴＶ電話といった高度なサービスを提供し、無線基地局３−１から遠いセル境界の場所（音声通信ゾーン）では割り当てる電力消費が少ない音声通信といった信頼性の高いサービスを提供するというように、図１３に示すセルＡ内の無線端末４の位置情報に依存したサービスを提供することができる。
【００５７】
尚、この無線端末４の位置情報に依存したサービス提供においては、図８に示すＧＰＳシステム等から受信する端末無線端末位置情報報告の代わりに、図５に示すの無線品質測定結果のＲＴＴ（Ｒｏｕｎｄ  Ｔｒｉｐ  Ｔｉｍｅ）を利用してもよい。
【図面の簡単な説明】
【００５８】
【図１】本発明の実施の形態による無線通信システムの構成を示すブロック図である。
【図２】本発明の一実施例による無線通信システムの構成を示すブロック図である。
【図３】図２の無線制御局の構成を示すブロック図である。
【図４】本発明の一実施例によるサービス変更手順を示すシーケンスチャートである。
【図５】本発明の一実施例による無線品質測定結果の授受を示すシーケンスチャートである。
【図６】本発明の一実施例による共通セル品質測定結果の授受を示すシーケンスチャートである。
【図７】本発明の一実施例による個別端末品質測定結果の授受を示すシーケンスチャートである。
【図８】本発明の一実施例によるＧＰＳシステムから受信する無線端末位置情報報告の授受を示すシーケンスチャートである。
【図９】本発明の一実施例によるサービス設定要求の授受を示すシーケンスチャートである。
【図１０】本発明の一実施例によるサービス変更要求メッセージ送信契機の一例を示す図である。
【図１１】本発明の一実施例によるサービス変更要求メッセージ送信契機の他の例を示す図である。
【図１２】本発明の他の実施例によるシステム間ハンドオーバに続くサービス変更手順を示すシーケンスチャートである。
【図１３】本発明の別の実施例による無線端末位置に依存するサービス提供を示す図である。
【符号の説明】
【００５９】
１  無線制御局
２  コアノード
３−１〜３−３  無線基地局
４，４−１〜４−７  無線端末
１１  セル負荷制御部
１２  コアノード接続部
１３  基地局接続部
Ａ〜Ｃ  セル
【図１】
0004645338.tif 000002
【図２】
0004645338.tif 000003
【図３】
0004645338.tif 000004
【図４】
0004645338.tif 000005
【図５】
0004645338.tif 000006
【図６】
0004645338.tif 000007
【図７】
0004645338.tif 000008
【図８】
0004645338.tif 000009
【図９】
0004645338.tif 000010
【図１０】
0004645338.tif 000011
【図１１】
0004645338.tif 000012
【図１２】
0004645338.tif 000013
【図１３】
0004645338.tif 000014